(57)【要約】  表示面の有効表示率の低下を抑制しつつ、表示パネルモジュールの前面側に機能する電子部品を取付可能な表示パネルモジュール及び表示装置を提供するものである。  本発明によれば、表示面（１０１）を有する表示パネル（１０９）と、前記表示パネル（１０９）を支持するモールドフレーム（１１３）と、を備える表示パネルモジュールであって、前記表示パネルモジュールの側面に、前記表示パネルモジュールの前面側に機能する電子部品（１０５）が収容可能な収容空間を備えた、表示パネルモジュールが提供される。
2017037850.tif 000002
【特許請求の範囲】
【請求項１】
表示面を有する表示パネルと、  前記表示パネルを支持するモールドフレームと、  を備える表示パネルモジュールであって、  前記表示パネルモジュールの側面に、前記表示パネルモジュールの前面側に機能する電子部品が収容可能な収容空間を備えた、  表示パネルモジュール。
【請求項２】
前記収容空間は、前記表示パネルモジュールの側面に設けられた開口部と前記表示パネルによって形成されるか、又は前記開口部と前記表示パネルを保護する保護パネルとによって形成される、  請求項１に記載の表示パネルモジュール。
【請求項３】
前記収容空間内の前記表示パネルモジュールの前面側に、前記電子部品を前記表示パネルモジュールの前面側に機能させる窓部が設けられる、  請求項１又は請求項２に記載の表示パネルモジュール。
【請求項４】
前記電子部品と、  第１の端部上に前記電子部品が設けられた可撓性印刷基板と、  を有し、  前記表示パネルの背面側から前記第１の端部を前記開口部に差し込んだ状態で、前記収容空間に前記電子部品が収容される、  請求項２又は請求項３に記載の表示パネルモジュール。
【請求項５】
前記第１の端部上にスペーサを設け、  前記収容空間は、前記第１の端部が前記収容空間に収容されたときに前記スペーサと前記表示パネル又は前記保護パネルが当接することにより前記可撓性印刷基板が位置決めされるように設けられる、  請求項４に記載の表示パネルモジュール。
【請求項６】
前記収容空間は、前記第１の端部が前記収容空間に収容されたときに前記スペーサにより前記開口部が塞がれるように設けられる、  請求項５に記載の表示パネルモジュール。
【請求項７】
前記表示パネルモジュールは、背面に制御基板を備え、  前記可撓性印刷基板の第２の端部には接続端子が設けられ、  前記制御基板と前記接続端子が接続される、  請求項４〜請求項６のいずれか１項に記載の表示パネルモジュール。
【請求項８】
前記可撓性印刷基板は、前記第１の端部の裏側に略Ｌ字型の補強部材が装着されており、  前記可撓性印刷基板の前記収容空間への収容時には、前記第１の端部に設けられた前記電子部品が前記表示パネルモジュールの前面側を、前記第２の端部に設けられた前記接続端子が前記モールドフレーム側を向くように前記補強部材が設けられる、  請求項４〜請求項７のいずれか１項に記載の表示パネルモジュール。
【請求項９】
請求項１〜請求項８のいずれか１項に記載の表示パネルモジュールを搭載する表示装置。
【請求項１０】
表示面を有する表示パネルと、  前記表示パネルを支持するモールドフレームと、  を有する表示パネルモジュールの製造方法であって、  前記表示パネルモジュールの側面に形成され且つ前記表示パネルモジュールの前面側に機能する電子部品が収容可能な収容空間に、第１の端部上に電子部品が設けられた可撓性印刷基板の前記第１の端部を収容する収容ステップと、  前記可撓性印刷基板の前記第１の端部の逆側の端部である第２の端部を、前記表示パネルモジュールの背面に設けられた制御基板に接続する接続ステップと、  を有する表示パネルモジュールの製造方法。
【請求項１１】
前記収容空間は、前記表示パネルモジュールの側面に設けられた開口部と前記表示パネルによって形成されるか、又は前記開口部と前記表示パネルを保護する保護パネルとによって形成される、  請求項１０に記載の表示パネルモジュールの製造方法。
【発明の詳細な説明】
【技術分野】
【０００１】  本発明は、表示パネルモジュール、表示装置及び製造方法に関する。
【背景技術】
【０００２】  表示装置においては、サイズやデザインの観点から表示面がフラットであり且つ有効表示率の高いものが望まれている。しかし、表示パネルモジュールの前面側に機能する電子部品、例えばフォトセンサー、ＬＥＤ、人感センサ、静電スイッチ等を取り付けるためにはスペースを要し、そのスペース分、表示面の有効表示率が低下してしまう。【０００３】  特許文献１には、表示部材と、前記表示部材の背面に配置された第１背面部材と、前記第１背面部材の側面を取り囲む形状を有しており、前記第１背面部材の背面の側から装着されて前記第１背面部材を収容する、第２背面部材と、前記表示部材に接続された配線部材とを備え、前記配線部材は、前記第１背面部材の前記側面と前記第２背面部材との間に延在しており、前記配線部材のうちで前記表示部材から遠い側の部分である先端部が、前記第１背面部材の前記側面において開口した差し込み部に差し込まれており、前記配線部材が前記第１背面部材に差し込まれた状態が、前記第２背面部材の装着前後で保持される、表示装置が開示されている。
【先行技術文献】
【特許文献】
【０００４】
【特許文献１】特開２０１４−１２６６３０
【発明の概要】
【発明が解決しようとする課題】
【０００５】  しかし、かかる構造では、電子部品が実装された配線部材を第１背面部材の差し込み部に差し込んだ状態で第２背面部材を装着するので、電子部品と第２背面部材との接触を避けるために電子部品を第１背面部材側に向ける必要があった。このため、電子部品を表示パネルモジュールの前面側に機能させることができなかった。【０００６】  本発明はこのような事情に鑑みてなされたものであり、表示面の有効表示率の低下を抑制しつつ、表示パネルモジュールの前面側に機能する電子部品を取付可能な表示パネルモジュール、表示装置及び製造方法を提供するものである。
【課題を解決するための手段】
【０００７】  本発明によれば、表示面を有する表示パネルと、前記表示パネルを支持するモールドフレームと、を備える表示パネルモジュールであって、前記表示パネルモジュールの側面に、前記表示パネルモジュールの前面側に機能する電子部品が収容可能な収容空間を備えた、表示パネルモジュールが提供される。【０００８】  本発明によれば、表示面を有する表示パネルを支持するモールドフレームの側面に、前記表示パネルモジュールの前面側に機能する電子部品が収容可能な収容空間が設けられる。かかる収容空間に電子部品を収容することで、表示面の有効表示率の低下を抑制しつつ、表示パネルモジュールの前面側に機能する電子部品を表示パネルモジュールに取り付けることができる。これにより、例えば表示パネルとモールドフレームが一体として組み合わされた表示パネルモジュールの状態であっても、表示パネルモジュールに容易に表示パネルモジュールの前面側に機能する電子部品を組み込むことができる。【０００９】  以下、本発明の種々の実施形態を例示する。以下に示す実施形態は互いに組み合わせ可能である。  好ましくは、前記収容空間は、前記表示パネルモジュールの側面に設けられた開口部と前記表示パネルによって形成されるか、又は前記開口部と前記表示パネルを保護する保護パネルとによって形成される。  好ましくは、前記収容空間内の前記表示パネルモジュールの前面側に、前記電子部品を前記表示パネルモジュールの前面側に機能させる窓部が設けられる。  好ましくは、前記電子部品と、第１の端部上に前記電子部品が設けられた可撓性印刷基板と、を有し、前記表示パネルの背面側から前記第１の端部を前記開口部に差し込んだ状態で、前記収容空間に前記電子部品が収容される。  好ましくは、前記第１の端部上にスペーサを設け、前記収容空間は、前記第１の端部が前記収容空間に収容されたときに前記スペーサと前記表示パネル又は前記保護パネルが当接することにより前記可撓性印刷基板が位置決めされるように設けられる。  好ましくは、前記収容空間は、前記第１の端部が前記収容空間に収容されたときに前記スペーサにより前記開口部が塞がれるように設けられる。  好ましくは、前記表示パネルモジュールは、背面に制御基板を備え、前記可撓性印刷基板の第２の端部には接続端子が設けられ、前記制御基板と前記接続端子が接続される。  好ましくは、前記可撓性印刷基板は、前記第１の端部の裏側に略Ｌ字型の補強部材が装着されており、前記可撓性印刷基板の前記収容空間への収容時には、前記第１の端部に設けられた前記電子部品が前記表示パネルモジュールの前面側を、前記第２の端部に設けられた前記接続端子が前記モールドフレーム側を向くように前記補強部材が設けられる。  好ましくは、上記の表示パネルモジュールを搭載する表示装置が提供される。  好ましくは、表示面を有する表示パネルと、前記表示パネルを支持するモールドフレームと、を有する表示パネルモジュールの製造方法であって、前記表示パネルモジュールの側面に形成され且つ前記表示パネルモジュールの前面側に機能する電子部品が収容可能な収容空間に、第１の端部上に電子部品が設けられた可撓性印刷基板の前記第１の端部を収容する収容ステップと、前記可撓性印刷基板の前記第１の端部の逆側の端部である第２の端部を、前記表示パネルモジュールの背面に設けられた制御基板に接続する接続ステップと、を有する表示パネルモジュールの製造方法が提供される。  好ましくは、前記収容空間は、前記表示パネルモジュールの側面に設けられた開口部と前記表示パネルによって形成されるか、又は前記開口部と前記表示パネルを保護する保護パネルとによって形成される、表示パネルモジュールの製造方法が提供される。
【図面の簡単な説明】
【００１０】
【図１】本実施形態に係る表示パネルモジュール及び表示装置の概略を表す図であり、（ａ）は表示装置の前面図、（ｂ）は表示パネルモジュールの背面図である。
【図２】図１の領域Ｘの斜視図である。
【図３】図１（ａ）のＡ−Ａ端面の部分拡大図である。
【図４】電子部品が装着された可撓性印刷基板を表す図であり、（ａ）は補強部材及びスペーサの装着前、（ｂ）は補強部材及びスペーサの装着後、（ｃ）は（ｂ）をＢ方向から見た図である。
【図５】本実施形態に係る表示パネルモジュールに電子部品を組み込む様子を表す図であり、（ａ）は組込前を、（ｂ）は組込後を示す図である。
【図６】図１（ａ）のＡ−Ａ端面の部分拡大図を用いて、可撓性印刷基板を収容空間に収容する様子を説明する図であり、（ａ）は収容前を、（ｂ）は収容後を示す図である。
【図７】他の実施形態に係る、図１（ａ）のＡ−Ａ端面の部分拡大図である。
【図８】他の実施形態に係る、図１の領域Ｘの斜視図である。
【発明を実施するための形態】
【００１１】  以下、図面を用いて本発明の実施形態について説明する。以下に示す実施形態中で示した各種特徴事項は、互いに組み合わせ可能である。また、各特徴事項について独立して発明が成立する。
【００１２】  図１〜図４に示されるように、表示パネルモジュール１は、表示パネル１０９と、前記表示パネル１０９を支持するモールドフレーム１１３と、により構成される。そして、表示装置１Ｄは、表示パネルモジュール１の４つの側面及び背面を包み込むようにリアカバー１１４を取り付けることで形成される。なお、各部位の説明のため、図１（ｂ）ではリアカバー１１４のモールドフレーム１１３を覆う部分を省略した。表示パネル１０９は、図３に示されるように、透明な保護パネル１１１により保護されている。また、表示パネル１０９は、画像や動画を表示する表示面１０１とその表示面１０１の周囲に非表示領域１０３を有する。表示パネル１０９は、背後からモールドフレーム１１３に支持される。モールドフレーム１１３は、側面に開口部５ａを有する。ここで、開口部５ａは、図２に示されるように、側壁５０１ａ及び側壁５０１ｂの間に切欠が設けられる態様だけでなく、図８に示されるように、側壁５０１ａ及び側壁５０１ｂの上面がブリッジ５０５で繋がっており、モールドフレーム１１３の側面から見て孔が形成される態様として設けられてもよい。そして、開口部５ａ及び表示パネル１０９により、電子部品が収容可能な収容空間５が設けられる。又は、図７に示されるように、表示パネル１０９が後壁５０３付近より下側まで延在しない構成となっている場合には、収容空間５は、開口部５ａ及び保護パネル１１１により形成されてもよい。収容空間５は、電子部品が表示パネルモジュールの前面側に機能するように設けられる。そして、収容空間５内において、表示パネルモジュール１の前面側に、電子部品を表示パネルモジュールの前面側に機能させる窓部５ｃが設けられる。非表示領域１０３の下側中央付近には表示パネルモジュールの前面側に機能する電子部品であるフォトセンサー１０５が、下側右端部付近には表示パネルモジュールの前面側に機能する電子部品であるＬＥＤ１０７が設けられる。フォトセンサー１０５及びＬＥＤ１０７は収容空間５に収容されており、窓部５ｃを介して表示パネルモジュールの前面側に機能する。ここで、表示パネルモジュールの前面側に機能するとは、電子部品の受光部又は発光部が表示パネルモジュールの前面側に向いており、表示パネルモジュールの前方の環境に対して電磁波を放射する、又は表示パネルモジュールの前方の環境から電磁波を受け取ることである。これに加え、電子部品の受光部又は発光部を、表示パネルモジュールの前面側と異なる方向（例：第１の端部６０の差込方向（図３及び図７において上方向）、差込方向に対して垂直方向（図３及び図７において、紙面の奥方向又は手前方向）、差込方向に対して傾いた方向）に向け、任意の光学手段（例：鏡）により、表示パネルモジュール１の前方からの電磁波を受光部に導光し、発光部からの電磁波を表示パネルモジュール１の前方に導光することにより、表示パネルモジュール１の前方から電磁波を受け取る、又は表示パネルモジュール１の前方に電磁波を放射する態様も、表示パネルモジュールの前面側に機能すると言える。これにより、第１の端部６０の差込距離を低減させることができる。ここで、電磁波とは、例えば可視光、赤外線、遠赤外線、紫外線���ある。なお、表示パネル１０９は、例えば液晶ディスプレイ、プラズマディスプレイ、有機ＥＬディスプレイである。本実施形態では液晶ディスプレイを用いた。
【００１３】  図１（ｂ）に示されるように、表示パネルモジュール１の背面にはモールドフレーム１１３が取り付けられる。そして、モールドフレーム１１３上にメイン基板２０１が設けられ、メイン基板２０１にドッキング基板２０３がハーネス２０７ｃにより接続される。ドッキング基板２０３は、フォトセンサー１０５が第１の端部６０上に設けられた可撓性印刷基板２０５ａにハーネス２０７ａを介して接続され、ＬＥＤ１０７が第１の端部６０上に設けられた可撓性印刷基板２０５ｂにハーネス２０７ｂを介して接続される。ハーネス２０７は例えばフレキシブルフラットケーブルである。
【００１４】  ここで、メイン基板２０１は表示パネルモジュール１全体を制御する基板であり、種々の回路、メモリ等が図示しない配線で接続されている。ドッキング基板２０３は可撓性印刷基板２０５ａ（２０５ｂ）に接続されるハーネス２０７ａ（ハーネス２０７ｂ）を集約するものである。そして、フォトセンサー１０５及びＬＥＤ１０７を制御し、これら電子部品から取得した情報をメイン基板２０１と送受信する。
【００１５】  図２は、図１の領域Ｘの斜視図であり、可撓性印刷基板２０５ａを、モールドフレーム１１３の側面に設けられた開口部５ａから収容空間５に収容した状態を表す図である。ここで、説明のため、図２では表示パネル１０９及び保護パネル１１１を省略している。また、図１では簡略化のため省略していた板金１１９を図示している。
【００１６】  モールドフレーム１１３の側面に設けられた側壁５０１ａ及び側壁５０１ｂの間に開口部５ａが形成され、開口部５ａから続く収容空間５の奥には後壁５０３が設けられる。そして、収容空間５内において図中の表示方向（表示パネルモジュールの前面側）に窓部５ｃが設けられる。開口部５ａは可撓性印刷基板２０５ａを差し込むためのものであり、窓部５ｃは可撓性印刷基板２０５ａの第１の端部６０に設けられたフォトセンサー１０５を表示パネルモジュールの前面側に機能させるためのものである。
【００１７】  ここで、第１の端部６０にフォトセンサー１０５を設けた可撓性印刷基板２０５について、図４を用いて説明する。図４（ａ）に示されるように、可撓性印刷基板２０５ａの第１の端部６０にフォトセンサー１０５を設け、第２の端部７０に接続端子２０９を設ける。この接続端子２０９とハーネス２０７ａが接続され、ドッキング基板２０３によりフォトセンサー１０５が制御される。フォトセンサー１０５は、例えば両面テープや接着剤により可撓性印刷基板２０５ａに固定される。
【００１８】  次に、図４（ｂ）に示されるように、可撓性印刷基板２０５ａの第１の端部６０側であり且つフォトセンサー１０５が設けられた面と裏側の面に、略Ｌ字型の補強部材３０１が装着される。補強部材３０１は、可撓性印刷基板２０５ａを開口部５ａに差し込むときに、可撓性印刷基板２０５ａが変形することを防止するためのものである。補強部材３０１の端部には、側面図においてフック形状をした差込部材３０５が設けられる。また、差込部材３０５の近傍であり且つ補強部材３０１の端部近傍の側面に２つの保持部材３０３が設けられる。差込部材３０５は、可撓性印刷基板２０５ａの第１の端部６０を差し込む部材であり、保持部材３０３はスペーサ３０７の側面を保持するための部材である。補強部材３０１は、例えば両面テープや接着剤により可撓性印刷基板２０５ａに装着される。
【００１９】  そして、図４（ｃ）に示されるように、可撓性印刷基板２０５ａの第１の端部６０に略コの字型のスペーサ３０７を取り付ける。取り付け方法は、例えば両面テープや接着剤が挙げられる。スペーサ３０７の両側面は保持部材３０３と当接し、保持される。スペーサ３０７の材料は任意であるが、例えばウレタン、ゴム、スポンジを用いることができる。ここで、スペーサ３０７はフォトセンサー１０５とともに収容空間５に収容されて収容空間５を塞ぎ、収容空間５内において表示パネル１０９と当接することで可撓性印刷基板２０５ａの位置を固定する。そして、可撓性印刷基板２０５ａの第２の端部７０に設けられた接続端子２０９にハーネス２０７ａを接続する。このハーネス２０７ａを、図２（ａ）に示されるように、ドッキング基板２０３に接続する。なお、可撓性印刷基板２０５ｂについては、フォトセンサー１０５の代わりにＬＥＤ１０７が設けられた以外は可撓性印刷基板２０５ａと同様であるので、図示及びその説明を省略する。
【００２０】  図２に戻ると、可撓性印刷基板２０５ａは、収容空間５に収容された状態において、２つの保持部材３０３がそれぞれ、モールドフレーム１１３に設けられた側壁５０１ａ及び側壁５０１ｂと当接する。そして、表示パネル１０９と、スペーサ３０７、側壁５０１ａ（側壁５０１ｂ）及び後壁５０３の上面と、が当接することにより、表示パネル１０９とモールドフレーム１１３が位置決めされる。そして、可撓性印刷基板２０５ａが収容空間５に収容された後に、テープ１１７で固定される。ここで、テープ１１７は導電性を有するものが好ましい。テープ１１７が導電性を有することで、可撓性印刷基板２０５ａの抜け落ち防止に加え、フォトセンサー１０５の静電対策が可能となる。
【００２１】  図３は、図１（ａ）のＡ−Ａ端面の部分拡大図であり、保護パネル１１１、表示パネル１０９及びモールドフレーム１１３が一体となった状態で、可撓性印刷基板２０５ａを開口部５ａから収容空間５に収容した状態を示す概略図である。表示パネル１０９は、スペーサ３０７、側壁５０１ａ（側壁５０１ｂ）及び後壁５０３と当接し、固定される。後壁５０３の図中において上側に、透明度の高いアクリル樹脂でできた導光板１１５が設けられる。導光板１１５は、バックライトを表示パネル１０９の前面の方へ導くものである。そして、可撓性印刷基板２０５ａの第２の端部７０に設けられた接続端子２０９は表示面１０１と逆側であるモールドフレーム１１３側を向いており、表示パネルモジュール１の背面に設けられたドッキング基板２０３とハーネス２０７ａを介して接続される。
【００２２】  図３に示されるように、フォトセンサー１０５が表示面１０１側を向いており、収容空間５に窓部５ｃが設けられているため、フォトセンサー１０５を表示面１０１側に機能させることができる。図中において、表示パネル１０９の後壁５０３より下側は透明となっており、保護パネル１１１も透明であるので、フォトセンサー１０５が表示パネルモジュールの前方の環境から光を検知することができる。なお、可撓性印刷基板２０５ｂについても同様であるので、図示及びその説明を省略する。
【００２３】  次に、図５及び図６を用いて、可撓性印刷基板２０５を収容空間５に収容する様子について説明する。図５（ａ）に示されるように、本実施形態では、表示パネル１０９、保護パネル１１１及びモールドフレーム１１３を一体とした後、可撓性印刷基板２０５ａ（可撓性印刷基板２０５ｂ）の第１の端部６０を図中の矢印方向に向けて開口部５ａ（開口部５ｂ）に差し込み、収容空間５に収容する。そして、図５（ｂ）に示されるように、表示パネルモジュール１に電子部品が組み込まれた状態となる。
【００２４】  図６（ａ）に示されるように、収容前においては、可撓性印刷基板２０５ａは接続端子２０９を介してハーネス２０７ａと接続されており、重力により垂れ下がっている。収容空間５にフォトセンサー１０５を収容するときには、可撓性印刷基板２０５ａの第１の端部６０付近を摘み、図中の矢印方向に持ち上げる。そして、可撓性印刷基板２０５を開口部５ａから収容空間５に収容する。これにより、図６（ｂ）に示される状態となる。ここで、収容空間５の表示パネルモジュールの前面側（図中の矢印方向）には、窓部５ｃが設けられているので、収容空間５に収容されたフォトセンサー１０５を表示パネルモジュールの前面側に機能させることができる。なお、第１の端部６０を収容空間５に差し込んだ後に、第２の端部７０上に設けられた接続端子２０９をハーネス２０７と接続するようにしてもよい。これは、第２の端部７０の可撓性よりも、補強部材３０１が装着された第１の端部６０の可撓性の方が小さいためである。
【００２５】  以上説明したような構成とすることにより、表示面１０１の有効表示率の低下を抑制しつつ、表示パネルモジュールの前面側に機能する電子部品であるフォトセンサー１０５を容易に取り付けることができる。さらに、例えば保護パネル１１１、表示パネル１０９及びモールドフレーム１１３が一体として組み合わされた表示パネルモジュール１の状態であっても、表示パネルモジュール１に容易に電子部品を組み込むことができる。このように、電子部品が表示パネルモジュールの前面側に向くことにより、例えば表示パネルモジュール１を搭載する複数の表示装置を左右に並べて配置した場合であっても、電子部品の機能が妨げられることがなくなる。
【００２６】  以上、本発明の実施形態について説明したが、本発明はこれらに限定されるものではない。例えば、電子部品として人感センサー、静電スイッチ、温度センサー、ＣＣＤイメージセンサー等を用いてもよい。また、開口部５ａの位置は特に限定されず、モールドフレーム１１３の側面の任意の場所に設けることができる。また、開口部５ａの代わりに、モールドフレーム１１３の側面に開口部を設けてもよい。また、スペーサ３０７は収容空間５を塞ぎ、表示パネル１０９又は保護パネル１１１と当接する形状であれば任意の形状とすることができる。また、可撓性印刷基板２０５を収容空間５に収容する工程は人手又は機械により実施することができる。また、かかる表示パネルモジュール１を搭載した表示装置１Ｄとして利用することもできる。さらに、可撓性印刷基板２０５及びドッキング基板２０３を複数設けてもよく、可撓性印刷基板２０５ａ及び可撓性印刷基板２０５ｂを直接メイン基板２０１に接続する構成としてもよい。
【符号の説明】
【００２７】１：表示パネルモジュール、１Ｄ：表示装置、１０１：表示面、１０３：非表示面、１０５：フォトセンサー、１０７：ＬＥＤ、１０９：表示パネル、１１１：保護パネル、１１３：モールドフレーム、１１４：リアカバー、１１５：導光板、１１７：テープ、１１９：板金、２０１：メイン基板、２０３：ドッキング基板、２０５：可撓性印刷基板、２０７：ハーネス、２０９：接続端子、３０１：補強部材、３０３：保持部材、３０５：差込部材、３０７：スペーサ、５：収容空間、５ａ（ｂ）：開口部、５ｃ：窓部、５０１：側壁、５０３：後壁、５０５：ブリッジ、６０：第１の端部、７０：第２の端部
【図１】
2017037850.tif 000003
【図２】
2017037850.tif 000004
【図３】
2017037850.tif 000005
【図４】
2017037850.tif 000006
【図５】
2017037850.tif 000007
【図６】
2017037850.tif 000008
【図７】
2017037850.tif 000009
【図８】
2017037850.tif 000010
【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
表示面を有する表示パネルと、
前記表示パネルを支持するモールドフレームと、
を備える表示パネルモジュールであって、
前記表示パネルモジュールの側面に、可撓性印刷基板の第１の端部に設けられたスペーサと電子部品が収納可能な収容空間を備え、
前記収容空間は、前記電子部品が前記表示パネルモジュールの前面側に機能するように、前記表示パネルモジュールの側面に設けられた開口部と前記表示パネルによって形成されるか、又は前記開口部と前記表示パネルを保護する保護パネルとによって形成され、
前記第１の端部が前記収容空間に収容されたときに、前記スペーサと前記表示パネル又は前記保護パネルが当接することにより前記可撓性印刷基板が位置決めされるように設けられる、
表示パネルモジュール。
【請求項２】
前記収容空間内の前記表示パネルモジュールの前面側に、前記電子部品を前記表示パネルモジュールの前面側に機能させる窓部が設けられる、
請求項１に記載の表示パネルモジュール。
【請求項３】
前記電子部品と、
第１の端部上に前記電子部品が設けられた可撓性印刷基板と、
を有し、
前記表示パネルの背面側から前記第１の端部を前記開口部に差し込んだ状態で、前記収容空間に前記電子部品が収容される、
請求項１又は請求項２に記載の表示パネルモジュール。
【請求項４】
前記収容空間は、前記第１の端部が前記収容空間に収容されたときに前記スペーサにより前記開口部が塞がれるように設けられる、
請求項３に記載の表示パネルモジュール。
【請求項５】
前記表示パネルモジュールは、背面に制御基板を備え、
前記可撓性印刷基板の第２の端部には接続端子が設けられ、
前記制御基板と前記接続端子が接続される、
請求項３又は請求項４に記載の表示パネルモジュール。
【請求項６】
前記可撓性印刷基板は、前記第１の端部の裏側に略Ｌ字型の補強部材が装着されており、
前記可撓性印刷基板の前記収容空間への収容時には、前記第１の端部に設けられた前記電子部品が前記表示パネルモジュールの前面側を、前記第２の端部に設けられた前記接続端子が前記モールドフレーム側を向くように前記補強部材が設けられる、
請求項３〜請求項５のいずれか１項に記載の表示パネルモジュール。
【請求項７】
請求項１〜請求項６のいずれか１項に記載の表示パネルモジュールを搭載する表示装置。
【請求項８】
表示面を有する表示パネルと、
前記表示パネルを支持するモールドフレームと、
を有する表示パネルモジュールの製造方法であって、
前記表示パネルモジュールの側面に形成され且つ前記表示パネルモジュールの前面側に機能する電子部品が収容可能な収容空間に、第１の端部上に電子部品及びスペーサが設けられた可撓性印刷基板の前記第１の端部を収容する収容ステップと、
前記可撓性印刷基板の前記第１の端部の逆側の端部である第２の端部を、前記表示パネルモジュールの背面に設けられた制御基板に接続する接続ステップと、を備え、
前記収容空間は、前記表示パネルモジュールの側面に設けられた開口部と前記表示パネルによって形成されるか、又は前記開口部と前記表示パネルを保護する保護パネルとによって形成され、
前記収容空間は、前記第１の端部が前記収容空間に収容されたときに、前記スペーサと前記表示パネル又は前記保護パネルが当接することにより前記可撓性印刷基板が位置決めされるように設けられる、
表示パネルモジュールの製造方法。
【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
表示面を有する表示パネルと、
前記表示パネルを支持するモールドフレームと、
を備える表示パネルモジュールであって、
電子部品と、
第１の端部上に前記電子部品及びスペーサが設けられた可撓性印刷基板と、を有し、
前記表示パネルモジュールの側面に、前記第１の端部に設けられた前記スペーサと前記電子部品が収納可能な収容空間を備え、
前記収容空間は、前記電子部品が前記表示パネルモジュールの前面側に機能するように、前記表示パネルモジュールの側面に設けられた開口部と前記表示パネルによって形成されるか、又は前記開口部と前記表示パネルを保護する保護パネルとによって形成され、
前記第１の端部が前記収容空間に収容されたときに、前記スペーサと前記表示パネル又は前記保護パネルが当接することにより前記可撓性印刷基板が位置決めされるように設けられる、
表示パネルモジュール。
【請求項２】
前記収容空間内の前記表示パネルモジュールの前面側に、前記電子部品を前記表示パネルモジュールの前面側に機能させる窓部が設けられる、
請求項１に記載の表示パネルモジュール。
【請求項３】
前記表示パネルの背面側から前記第１の端部を前記開口部に差し込んだ状態で、前記収容空間に前記電子部品が収容される、
請求項１又は請求項２に記載の表示パネルモジュール。
【請求項４】
前記収容空間は、前記第１の端部が前記収容空間に収容されたときに前記スペーサにより前記開口部が塞がれるように設けられる、
請求項３に記載の表示パネルモジュール。
【請求項５】
前記表示パネルモジュールは、背面に制御基板を備え、
前記可撓性印刷基板の第２の端部には接続端子が設けられ、
前記制御基板と前記接続端子が接続される、
請求項３又は請求項４に記載の表示パネルモジュール。
【請求項６】
前記可撓性印刷基板は、前記第１の端部の裏側に略Ｌ字型の補強部材が装着されており、
前記可撓性印刷基板の前記収容空間への収容時には、前記第１の端部に設けられた前記電子部品が前記表示パネルモジュールの前面側を、前記第２の端部に設けられた前記接続端子が前記モールドフレーム側を向くように前記補強部材が設けられる、
請求項５に記載の表示パネルモジュール。
【請求項７】
請求項１〜請求項６のいずれか１項に記載の表示パネルモジュールを搭載する表示装置。
【請求項８】
表示面を有する表示パネルと、
前記表示パネルを支持するモールドフレームと、
を有する表示パネルモジュールの製造方法であって、
前記表示パネルモジュールの側面に形成され且つ前記表示パネルモジュールの前面側に機能する電子部品が収容可能な収容空間に、第１の端部上に電子部品及びスペーサが設けられた可撓性印刷基板の前記第１の端部を収容する収容ステップと、
前記可撓性印刷基板の前記第１の端部の逆側の端部である第２の端部を、前記表示パネルモジュールの背面に設けられた制御基板に接続する接続ステップと、を備え、
前記収容空間は、前記表示パネルモジュールの側面に設けられた開口部と前記表示パネルによって形成されるか、又は前記開口部と前記表示パネルを保護する保護パネルとによって形成され、
前記収容空間は、前記第１の端部が前記収容空間に収容されたときに、前記スペーサと前記表示パネル又は前記保護パネルが当接することにより前記可撓性印刷基板が位置決めされるように設けられる、
表示パネルモジュールの製造方法。
【国際調査報告】
2017037850.tif 000011
2017037850.tif 000012
2017037850.tif 000013
2017037850.tif 000014